(57)【要約】【課題】磁気共鳴コンピューター断層撮影検査時、撮影手法であるスピンエコー法を用いて画像を作成するすべての撮影条件でもマーカーとして位置特定がなされ、容易にマーカーの固定及び任意の位置に距離補正ができる事を旨とした位置特定マーカーを提供する。【解決手段】位置特定となるマーカー物質を樹脂容器に封入し、検査目的に合った大きさに加工仕上げをした球状マーカー１に、片面が粘着性のある透明テープ２の中央にマーカーを接着加工し、その加工仕上げをしたテープ表面にマーカーを中心として距離が解るように上下左右に目盛り４を書き込む事により可能となる。【選択図】    図２
2005152561.tif 000002
【特許請求の範囲】
【請求項１】
位置特定となる物質を樹脂容器に封入して検査目的にあった大きさの球状及び棒状に仕上げ、磁気共鳴コンピューター断層撮影検査時、撮影手法であるスピンエコー法を用いて画像を作成するすべての撮影条件下において位置特定としてモニター画面及びフィルムに白く使用した形状に映し出される事を特徴とする物質と形状からなるマーカー。
【請求項２】
請求項１記載のマーカーが、位置特定となる為の物質として原子核同士の結合において水素原子核との結合が炭素原子核以外や水素原子核と炭素原子核との結合体が６０％以下で構成されており、その単位容積当たりの水素原子量が人体脂肪組織の水素原子量の４０％から７０％であり常温において液状からなる物質。
【請求項３】
磁気共鳴コンピューター断層撮影検査時、請求項１記載のマーカーを人体表面任意の場所に正確に動かないよう固定する為に透明な片面のみ粘着性のあるテープを用い、粘着性のある面のテープの真中に請求項１記載のマーカーが動かないように接着加工仕上げし、その目的を達する事を特徴とした位置特定マーカー。
【請求項４】
磁気共鳴コンピューター断層撮影検査時、人体内にある腫瘍等と請求項３記載の位置特定マーカーを人体表面に貼りつけマーキング検査（手術目的の為に人体表面皮膚上に印を付けておく事で、そこを目安として切開し腫瘍を取り除く為のしるし付け検査）を行いモニター画面に映し出される二つの位置関係がずれている場合、請求項３記載の位置特定マーカーを正確に距離補正する為にテープ上に請求項１記載のマーカーを中心として距離が解るように目盛りを書き込む事により、その目的を達する事を特徴とした位置特定マーカー。
【発明の詳細な説明】
【発明の詳細な説明】
【技術分野】
【０００１】本発明は、磁気共鳴コンピューター断層撮影検査及び画像診断をするにあたり、モニター画面及びフィルムで位置特定が出来るマーカーに関する。
【背景技術】
【０００２】磁気共鳴コンピューター断層撮影検査で、位置を特定する為のマーカーとしては、主成分が水分であるゲル状の物質を小さく丸め人体表面に置くか、主成分が脂肪である固体状の物質を小さく丸め置きながら位置を特定する為のマーカーとして使用された。
【解決しようとする課題】
【０００３】磁気共鳴コンピューター断層撮影検査目的が、人体皮膚下にある１０ｍｍＸ１０ｍｍ程度の腫瘤の診断とするならば検査を進めていく上でマーカーを使用しないで検査をした場合、指標となる位置関係が解らない時もあり広範囲を撮影をするようになったり、無駄なスライス画像を作成するといった事が起こり、検査を進めて行く上で不都合を生じる。それに伴いスライス画像が多くなり、それを元にして画像診断をする場合、どのスライス画像にあるかを連続した多くのスライス画像を見ながら画像診断にあたっている為、不都合を生じる。
【０００４】磁気共鳴コンピューター断層撮影検査において画像を作成する手法として臨床の現場で数多く使用されている撮影手法であるスピンエコー法を利用し、Ｔ１強調画像及びＴ２強調画像と言った画像が作成されており、それに付随し化学シフト映像法を加える事により脂肪抑制Ｔ１強調画像  脂肪抑制Ｔ２強調画像と言った画像も作成されている。それらの撮影手法で診断できる撮影条件下で画像を作成しているが、従来のマーカーでは、位置特定が出来ない撮影条件もあり不都合を生じる。
【０００５】磁気共鳴コンピューター断層撮影検査目的が、人体内にある腫瘍等の摘出手術の為のマーキング検査にあるとするならば、モニター画面を見ながら腫瘍と人体表面に付けたマーカーの位置関係を定規等で距離を補正しながら検査を進めていくが、人体表面では、平らな場所は少なく湾曲してる場所が多い為、距離の補正が容易でない。
【０００６】本発明は、上記した問題を解決する為なされたもので、磁気共鳴コンピューター断層撮影検査時にスピンエコー法を用い画像を作成する、すべての撮影条件下でもマーカーとして位置特定がなされ容易にマーカーの固定及びマーカーを任意の位置に距離補正が出来る事を旨として提供することを目的とする。
【解決する為の手段】
【０００７】上記問題を解決する為には、マーカーとしての物質と形状にありマーカーを固定する為には、透明な片面のみ粘着性のテープを用いることにある。また、距離補正を容易にする為には、テープ上に目盛りを入れる事と旨とした位置特定マーカーを提供される。
【０００８】磁気共鳴コンピューター断層撮影において画像を作成する為には、磁場内でその物質が電磁波を吸収・放出する物質でなければならなく、その現象をスピン共鳴と言い原子核のスピン共鳴によるものを核磁気共鳴と言う。物質が磁場内で特定の周波数のみ作用する周波数の事を共鳴周波数と言う。人間を対照として検査を行う場合、人間の体は、約７０％からの水分で占められており脂肪を含めると約９０％にも及び人体を構成している最もおおもとの原子核から信号を収集しており、水分および脂肪の構成原子である水素原子核の挙動を画像化している。
【０００９】マーカー物質において撮影手法であるスピンエコー法を使用し撮影条件を変える事によりＴ１強調画像及びＴ２強調画像と言った画像を作成した場合、マーカー物質は、モニター画面及びフィルムでは、使用した形状の形に白く映し出される物質でなければならなく、また、スピンエコー法に化学シフト映像法を加える事により脂肪のみ信号をなくした撮影手法を使用し撮影条件を変える事により脂肪抑制Ｔ１強調画像及び脂肪抑制Ｔ２強調画像といった画像を作成した場合においてもマーカー物質は、モニター画面及びフィルムでも使用した形状に白く映し出される物質でなければならない。すべての撮影条件下において使用した形状に白く映し出されることは、モニター画面及びフィルム上でマーカーの位置特定がなされる。
【００１０】スピンエコー法においてＴ１強調画像Ｔ２強調画像だけを対象としたマーカー物質であるならば、常温において固体状の油脂を用いれば可能でありＴ１強調画像Ｔ２強調画像  脂肪抑制Ｔ２強調画像だけを対象としたマーカー物質だけであるならば常温において液状の油脂を用いれば可能である。上記二つの場合であるが、単位容積あたり水素原子量が人体脂肪組織の５０％から８０％の水素原子量があれば十分である。
【００１１】化学シフト映像法であるが、水と脂肪ではもともと３．５ｐｐｍの周波数ズレが生じており、これは水と脂肪では同じ水素原子核から構成されているものの結合している他の原子核が異なる事による。水では水素原子核と酸素原子核が結合しており脂肪においては、水素原子核と炭素原子核が結合している。その周波数ズレを利用して脂肪組織の信号を無くする為に脂肪の共鳴周波数をスピンエコー法でデータを収集する前に操作し、その後は水素原子核からの共鳴周波数をスピンエコー法に基づいて操作すれば脂肪抑制Ｔ１強調画像、脂肪抑制Ｔ２強調画像と言われている画像が作成される。
【００１２】この事を踏まえＴ１強調画像  Ｔ２強調画像  脂肪抑制Ｔ１強調画像、脂肪抑制Ｔ２強調画像を対象としたマーカー物質は、その物質が構成される為に水素原子核との結合が炭素原子核以外や水素原子核と炭素原子核との結合体が６０％以下で構成されており、その単位容積当たりの水素原子量が人体脂肪組織の水素原子量の４０％から７０％が適しており常温において液状の物質を用いることにより可能となる。一例を挙げるとするならば、ブドウ種子油とエタノールを主原料とし、その使用する割合を５対５としてグリセリンを加え攪拌をする事によりブドウ種子油とエタノールが原子核間で結びつき、生成された混合液でもマーカー物質になりうる。
【００１３】磁気共鳴コンピューター断層撮影検査において、モニター画面上及びフィルム上でマーカーとして認識できる形としては、円及び線で十分であり、それを形作る位置特定マーカーの形状としては、球状及び棒状の形状が最適である。
【００１４】マーカーを動かないように磁気共鳴コンピューター断層撮影検査終了時まで人体表面に固定する必要がある訳だが、人体表面は平らな場所は少なくそのほとんどが湾曲している為、片面が粘着性のあるテープが一番適しておりその様相のテープの真中にマーカーを接着加工仕上げしたテープを人体表面に貼り付けることにより解決がなされる。また、任意の場所に正確に貼り付ける為には、人体表面が見える程度の透明さが必要とされる為、使用するテープを透明にする事により任意の場所に正確に貼り付けることが出来る。
【００１５】一度、人体表面に貼り付けた位置特定マーカーを貼り付けたマーカーの位置を基準とし、ある任意の場所に距離補正する為には、位置特定マーカーを接着加工仕上げをしたテープ表面にマーカーを中心として距離が解るように上下左右に目盛りを書き込む事により人体表面が湾曲していても、そのテープ表面に書かれている目盛りを使用し距離補正を行う事により容易に出来る。
【発明を実施するための最良の形態】
【００１６】磁気共鳴コンピューター断層撮影検査目的が、その腫瘤が人体表面皮膚下にあり触診でも解る程度あり１０ｍｍＸ１０ｍｍ位の腫瘤の診断とするならば、目的物である腫瘤の中心に対して球状マーカー１が来るように透明テープ２表面から目的物の位置を確認し、粘着性のある面を人体表面に貼り付け固定する。その後、磁気共鳴コンピューター断層撮影検査に入り、撮影手法であるスピンエコー法及びスピンエコー法に化学シフト映像法を加えることにより脂肪のみ信号をなくした撮影手法を用いて、すべての撮影条件において画像を作成したとし、球状マーカー１と腫瘤及び腫瘤の周りの組織とのコントラストを比べて見る。腫瘤の周りの組織とは、人体表面皮膚下となり、そのほとんどが脂肪層と考えることにする。また、腫瘤の主成分を脂肪とするならば、Ｔ１強調画像、Ｔ２強調画像においては、三者ともモニター画面及びフィルムでは、白く映し出される。また、脂肪抑制Ｔ１強調画像、脂肪抑制Ｔ２強調画像においては、腫瘤と腫瘤の周りの組織は、黒く映し出され、球状マーカー１のみ白く映し出される。次に、腫瘤の主成分が水分とするならば、Ｔ１強調画像では、腫瘤のみ黒く映し出され腫瘤の周りの組織と球状マーカー１は、白く映し出される。Ｔ２強調画像では、三者とも白く映し出される。脂肪抑制Ｔ１強調画像では、腫瘤と腫瘤の周りの組織が黒く映し出され球状マーカー１は、白く映し出される。脂肪抑制Ｔ２強調画像では、腫瘤の周りの組織だけが黒く映し出され、腫瘤と球状マーカー１は、白く映し出される。この様にスピンエコー法を使った、いかなる撮影条件下でも位置特定マーカーとしてモニター画面及びフィルム上では白く映し出され位置が特定できる。磁気共鳴コンピューター断層撮影検査中にモニター画面でその腫瘤の人体内位置関係を確認しつつ、その球状マーカー１を指標とした画像を作成しやすく検査を進めていく上で、重要性を持つ。【００１７】磁気共鳴コンピューター断層撮影においては、組織成分の違いにより様々なコントラストをつかさどり画像が作成されており、複数の画像を何枚かのフィルムに焼き付けて画像診断にあたる。画像診断する時に球状マーカー１がフィルム上で、円状に白く映し出されたスライス画像を見ることにより、容易に腫瘤が映し出されているスライス画像を探し出すことができ、画像診断する上でも指標となり重要性を持つ。【００１８】磁気共鳴コンピューター断層撮影検査が背部にできた、１０ｃｍＸ１０ｃｍ位のある程度の大きさがある腫瘤の診断とするならば、人体表面皮膚上において触診して腫瘤と思われる範囲に対して棒状マーカー５を透明テープ２表面から腫瘤と思われる場所を確認し、粘着性の面を人体表面皮膚上に囲むように貼り付けて固定する。その後、磁気共鳴コンピューター断層撮影検査に入り、検査手法と撮影条件により画像が作成され、その腫瘤及び腫瘤の周りの組織などは、色々なコントラストをようするが棒状マーカー５は、いかなる条件においても線状に白く映し出され検査を進めていく上で、その腫瘤の人体内位置関係を確認しつつ、その棒状マーカー５を中心とした画像を作成しやすく検査を進めていく上で重要性を持つ。【００１９】画像診断する上でも棒状マーカー５は、フィルム上では、いかなる撮影条件においても線状に白く映し出されており、腫瘤が映し出されているスライス画像を容易に探し出すことができ、更に腫瘤に対し囲むように貼り付けている為、あるスライス画像においては、マーカーが複数映し出されている画像もあり、そのマーカーで囲んだ腫瘤の範囲も容易に解り画像診断する上でも指標となり重要性を持つ。【００２０】磁気共鳴コンピューター断層撮影検査目的が、人体脊髄腔にできた腫瘍を取り除く為に手術前のマーキング検査（手術目的の為に人体表面皮膚上に印をつけておく事で、そこを目安として切開し腫瘍を取り除く為のしるし付け検査）とするならば、前段階で他検査を行っており、ある程度の位置関係が解っているはずであり、その資料を元にして人体表面の皮膚３にマジックインキ等でしるしを付けてから球状マーカー１を透明テープ２表面から位置を確認しながらしるしの場所に正確に貼り付け固定する。スピンエコー法をもちいて撮影条件を腫瘍がモニター画面上、判別できるよう設定し腫瘍を中心としたスライス画像を複数作成し、その複数作成したスライス画像でマーカーである白く円状に映し出されているスライス画像を見つけ腫瘍が映し出されているスライス画像と見比べて人体表面の皮膚３に付けたしるしが違う場合ずれの位置を補正する目的においてモニター画面で方向及び距離を測定し球状位置特定マーカーテープ上に書かれている目盛り４を使い人体表面の皮膚３に付けたしるしを基凖にし上下左右に任意の方向に目盛り４を見ながら方向及び距離補正をして再度、球状位置特定マーカーを貼り付けマーキング検査を行う事により腫瘍の人体表面皮膚上の位置を正確につかむ事ができ、検査目的が、正確かつ容易に達する事が出来る。
【発明の効果】
【００２１】位置特定マーカーを磁気共鳴コンピューター画像診断検査に用いれば、スピンエコー法を用いて画像を作成するすべての撮影条件でもモニター画面及びフィルムで白く映し出され検査を進めて行くうえで指標となり、画像診断をする上でも指標となる。また、容易に目的とする位置に位置特定マーカーを正確に固定する事ができ任意の距離補正も正確にでき再度固定することができる。
【図面の簡単な説明】
【図１】皮膚と球状位置特定マーカーの断面図を表す
【図２】球状位置特定マーカーの平面図を表す
【図３】皮膚と棒状位置特定マーカーの断面図を表す
【図４】棒状位置特定マーカーの平面図を表す
【符号の説明】
１    球状マーカー
２    透明テープ
３    皮膚
４    目盛り
５    棒状マーカー
【図１】
2005152561.tif 000003
【図２】
2005152561.tif 000004
【図３】
2005152561.tif 000005
【図４】
2005152561.tif 000006